(57)【要約】【課題】  風船全体を明るく発光させることのできる発光風船を提供する。【解決手段】  発光風船１は、孔部２１が設けられた風船本体２と、開口部３１が設けられた袋体３とを備え、孔部２１の周縁部と開口部３１の周縁部とを接合し、風船本体２の内側に袋体３が配置された二重構造を有する、風船本体２と袋体３との間にガスを注入し得る風船体４と、袋体３の内部に配置された複数の発光ダイオード５とを有している。袋体３の内部は、開口部３１の大きさよりも大きく広がっており、発光ダイオード５は、袋体３の内部に開口部３１の長径よりも大きく広がって配置される。【選択図】図１
2007025080.tif 000002
【特許請求の範囲】
【請求項１】
孔部が設けられた風船本体と、開口部が設けられた袋体とを備え、風船本体の孔部の周縁部と袋体の開口部の周縁部とを接合し、風船本体の内側に袋体が配置された二重構造を有する、風船本体と袋体との間にガスを注入し得る風船体と、
前記袋体の内部に配置された複数の発光ダイオードとを有し、
前記袋体は、前記風船本体の内部空間において前記開口部から広がるようにして形成されており、
前記複数の発光ダイオードは、前記袋体の内部に前記開口部の長径よりも大きく広がって配置されていることを特徴とする発光風船。
【請求項２】
前記複数の発光ダイオードは、前記袋体の内部において、略円弧状に広がって配置されることを特徴とする請求項１に記載の発光風船。
【請求項３】
前記各発光ダイオードは、弾性を有する長尺状の支持体の一端部のそれぞれに設けられており、
前記支持体の他端部又は途中には、すべての支持体を一纏めに固定するための固定部材が設けられていることを特徴とする請求項２に記載の発光風船。
【請求項４】
前記支持体は、略直線状の形状を有しており、前記袋体の内部において、放射状に広がって配置されていることを特徴とする請求項３に記載の発光風船。
【請求項５】
前記各発光ダイオードは、長尺状の支持体の一端部のそれぞれに設けられており、
前記支持体は、前記袋体の内部において全体としてフック形状をなして配置されていることを特徴とする請求項２に記載の発光風船。
【請求項６】
前記袋体は、正面視略扇型の形状を有することを特徴とする請求項４又は５に記載の発光風船。
【請求項７】
前記支持体は、前記発光ダイオードに電気的に接続されたリード線であることを特徴とする請求項３〜６のいずれかに記載の発光風船。
【請求項８】
前記複数の発光ダイオードには、少なくとも、赤色、青色及び緑色の発光色を有する発光ダイオードが含まれることを特徴とする請求項１〜７のいずれかに記載の発光風船。
【請求項９】
前記発光ダイオードは、砲弾型の発光ダイオードであり、
前記発光ダイオードからの出射光の指向角度が、１１０度以上であることを特徴とする請求項１〜８のいずれかに記載の発光風船。
【請求項１０】
前記風船は、遊技機と接続されて、当該遊技機の筐体に設置されており、
前記発光ダイオードは、前記遊技機から送信される所定の信号に基づいて発光し、前記遊技機における遊技状態に対応した演出を行う光装飾装置として構成されることを特徴とする請求項１〜９のいずれかに記載の発光風船。
【請求項１１】
前記袋体の開口部に連続する筒状部材と、
前記発光ダイオードの電源としての電池とを備えることを特徴とする請求項１〜９のいずれかに記載の発光風船。
【発明の詳細な説明】
【技術分野】
【０００１】
本発明は、風船本体の内部に袋体が配置された二重構造を有する発光風船であって、その袋体の内部に複数の発光ダイオードが広がるようにして配置された発光風船に関する。
【背景技術】
【０００２】
各種装飾や広告等を目的として、風船（バルーン）が用いられることがある。このような風船は、その目的から鑑みて、見る者に強い印象を与えるものであることが望ましい。そのため、従来、風船の内部に発光ダイオードを配置して風船を発光させる技術が提案されている（特許文献１，２参照）。
【特許文献１】特開２００３−１５５７３号公報
【特許文献２】特開２００４−６７０６４号公報
【発明の開示】
【発明が解決しようとする課題】
【０００３】
しかしながら、特許文献１及び特許文献２に記載の風船は、その内部に一つの発光ダイオードが配置されるものであるため、風船全体を明るく発光させることができるものではなく、見る者に与える印象としては十分ではなかった。
【０００４】
そこで、本発明は、風船全体を明るく発光させることのできる発光風船を提供することを目的とする。
【課題を解決するための手段】
【０００５】
上記課題を解決するために、本発明の発光風船は、孔部が設けられた風船本体と、開口部が設けられた袋体とを備え、風船本体の孔部の周縁部と袋体の開口部の周縁部とを接合し、風船本体の内側に袋体が配置された二重構造を有する、風船本体と袋体との間にガスを注入し得る風船体と、前記袋体の内部に配置された複数の発光ダイオードとを有し、前記袋体は、前記風船本体の内部空間において前記開口部から広がるようにして形成されており、前記複数の発光ダイオードは、前記袋体の内部に前記開口部の長径よりも大きく広がって配置されていることを特徴とする（請求項１）。
【０００６】
上記発明（請求項１）によれば、袋体の内部に配置される複数の発光ダイオードが袋体の開口部の長径よりも大きく広がって配置されるため、風船全体を明るく発光させることができる。
【０００７】
上記発明（請求項１）において、前記複数の発光ダイオードは、前記袋体の内部において、略円弧状に広がって配置されることが好ましい（請求項２）。本発明（請求項２）によれば、風船全体を効果的に発光させることができる。
【０００８】
上記発明（請求項２）において、前記各発光ダイオードは、弾性を有する長尺状の支持体の一端部のそれぞれに設けられており、前記支持体の他端部又は途中には、すべての支持体を一纏めに固定するための固定部材が備えられていることが好ましい（請求項３）。
【０００９】
上記発明（請求項３）によれば、支持体が弾性部材からなり、かつ支持体が他端部又は途中において固定部材により固定されていることから、風船本体の開口部から複数の発光ダイオードをまとめて挿入したとしても、袋体の内部において固定部材の部分を支点として支持体がその弾性により広がり、複数の発光ダイオードが袋体の内部で広がって配置されることになる。
【００１０】
上記発明（請求項３）において、前記支持体は、略直線状の形状を有しており、前記袋体の内部において、放射状に広がって配置されていることが好ましい（請求項４）。
【００１１】
また、上記発明（請求項２）において、前記各発光ダイオードは、長尺状の支持体の一端部のそれぞれに設けられており、前記支持体は、前記袋体の内部において全体としてフック形状をなして配置されていることが好ましい（請求項５）。
【００１２】
上記発明（請求項４，５）において、前記袋体は、正面視略扇型の形状を有することが好ましい（請求項６）。本発明（請求項６）によれば、略円弧状に広がって配置されている発光ダイオードのうち、両端部に配置されている発光ダイオードが袋体の両側部で支持されて、発光ダイオードが広がりすぎるのを抑制することができる。これにより、発光風船から発せられる光にムラが生じるのを抑制し、発光風船が部分的に明るくなりすぎるのを防止することができる。
【００１３】
上記発明（請求項３〜６）において、前記支持体は、前記発光ダイオードに電気的に接続されたリード線であることが好ましい（請求項７）。本発明（請求項７）によれば、支持体が、発光ダイオードに接続されるプラス又はマイナスのリード線の役割をも兼ねることができるため、発光風船の構成を簡易にすることができる。
【００１４】
上記発明（請求項１〜７）において、前記複数の発光ダイオードには、少なくとも、赤色、青色及び緑色の発光色を有する発光ダイオードが含まれることが好ましい（請求項８）。
【００１５】
上記発明（請求項８）によれば、光の三原色である赤色、青色及び緑色の発光色を有する発光ダイオードが袋体の内部に配置されることにより、発光ダイオードの発光タイミングや輝度等を調整することにより、風船から様々な色の光を発することができる。
【００１６】
上記発明（請求項１〜８）において、前記発光ダイオードは、砲弾型の発光ダイオードであり、前記発光ダイオードからの出射光の指向角度が、１１０度以上であることが好ましい（請求項９）。
【００１７】
上記発明（請求項９）によれば、風船本体内部に配置される発光ダイオードのモールド部分が砲弾型であり、出射光の指向角度が１１０度以上であることで、発光ダイオードから出射される光の指向が広がり、より風船全体を明るく発光させることができる。
【００１８】
上記発明（請求項１〜９）において、前記風船は、遊技機と接続されて、当該遊技機の筐体に設置されており、前記発光ダイオードは、前記遊技機から送信される所定の信号に基づいて発光し、前記遊技機における遊技状態に対応した演出を行う光装飾装置として構成されることが好ましい（請求項１０）。
【００１９】
上記発明（請求項１０）によれば、例えば、本発明に係る風船をパチンコ遊技機等の筐体に設置して、大当たり等が生じたときにパチンコ遊技機等から送信される信号に基づいて発光ダイオードに電力を供給して発光風船を発光させることで、パチンコ遊技機等で遊技する遊技者の射幸心を煽ったり、遊技者に遊技の面白さを感じさせたりすることができる。
【００２０】
上記発明（請求項１〜９）において、前記袋体の開口部に連続する筒状部材と、前記発光ダイオードの電源としての電池とを備えることが好ましい（請求項１１）。
【００２１】
上記発明（請求項１０）によれば、筒状部材と、発光ダイオードの電源としての電池とを備えることで、本発明（請求項１０）に係る発光風船を、持ち運び可能なものにすることができる。かかる発光風船は、子供等が手に持って楽しむことのできる風船おもちゃとして使用することができる。
【発明の効果】
【００２２】
本発明によれば、風船全体を明るく発光させることのできる発光風船を提供することができる。
【発明を実施するための最良の形態】
【００２３】
以下、本発明の一実施形態について図面を参照しながら説明する。
図１は、本実施形態に係る発光風船の概略構成を示す断面図であり、図２は、本実施形態に係る発光風船における発光ダイオードの他の配置例を示す断面図であり、図３は、本実施形態に係る発光風船が設置された遊技島を示す概略構成図であり、図４は、他の実施形態に係る発光風船を示す概略構成図である。
【００２４】
図１に示すように、本実施形態に係る発光風船１は、風船本体２と、風船本体２の内側に配置された袋体３とからなる風船体４と、袋体３の内部に配置された発光ダイオード５とを備えて構成される。
【００２５】
風船本体２は、正面視略円形の形状を有しており、下部には孔部２１が設けられている。風船本体２の下部には、給排気孔２２が設けられており、給排気孔２２には、逆止弁（図示せず）が設けられている。
【００２６】
袋体３は、正面視略扇型の形状を有しており、下部には、袋体３の内部に連続する筒状開口部３１が設けられている。風船体４は、袋体３が風船本体２の内部に配置され、風船本体２の孔部２１の周縁部と袋体３の開口部３１の周縁部とが接合された二重構造を有している。本実施形態に係る発光風船１において、風船本体２と袋体３との間に給排気孔２２から空気等のガスを充填することで、風船体４を膨らませることができる。
【００２７】
袋体３は、無色透明のものであることが好ましい。また、風船本体２は、無色透明のものであってもよいし、有色透明のものであってもよい。風船本体２には、その所望の部分に、印刷や塗装がなされていてもよいし、アルミニウム等の金属が蒸着されていてもよい。また、金属箔層が積層されていてもよい。このようにすることで、光を透過しやすい部分と光を透過しにくい部分とが形成され、発光風船１の表面に所望の模様を浮かび上がらせることができる。
【００２８】
風船本体２及び袋体３は、例えば、熱可塑性樹脂等により形成される。熱可塑性樹脂としては、例えば、ポリエチレン、ポリアミド、ポリエチレンテレフタレート、ポリプロピレン、ポリビニルアルコール、エチレンビニルアルコール等が挙げられる。
【００２９】
風船本体２の孔部２１と袋体３の開口部３１との接合方法は、風船本体２と袋体３との間隙の気密性が保持されるのであれば特に限定されるものではなく、常法により行うことができる。例えば、孔部２１の周縁部と開口部３１の周縁部とを加熱により溶着させてもよいし、接着剤等により接着させてもよい。
【００３０】
袋体３の内部には、複数の発光ダイオード５，５・・・が略円弧状に広がって配置されている。発光ダイオード５は、支持体６の一端部に設けられている。支持体６の他端部には、固定部材７が設けられており、すべての支持体６，６・・・は、当該固定部材７により一纏めに固定されている。この固定部材７は、すべての支持体６，６・・・を一纏めに固定することができるものであれば特に限定されるものではなく、例えば、合成樹脂製又は合成ゴム製のリングやチューブ、絶縁テープ等を用いることができる。
【００３１】
発光ダイオード５の形状としては、例えば、砲弾型、チップ型、多セグメント型等が挙げられるが、これらのうち砲弾型であることが好ましい。また、発光ダイオード５の指向角度は、１１０度以上であることが好ましい。指向角度が１１０度以上であれば、発光風船１の全体を明るく、かつ効果的に発光させることができる。
【００３２】
発光ダイオード５の有する発光色としては、少なくとも赤色、青色及び緑色が含まれていることが好ましい。これらの赤色、青色及び緑色は、光の三原色であり、発光ダイオード５からこれらの色の光が単独で又は組み合わされて出射されることで、ほぼすべての色を表示することができ、発光風船１を効果的に発光させることができる。具体的には、発光ダイオード５として、赤色発光ダイオード、青色発光ダイオード、緑色発光ダイオード等の単色発光ダイオード；赤緑発光ダイオード、青緑発光ダイオード等の２色発光ダイオード；又は３色発光ダイオードを使用することができる。
【００３３】
本実施形態において、袋体３の内部には、６つの発光ダイオード５が配置されているが、この発光ダイオード５の数は、発光風船１の全体を明るく発光させることができるのであれば特に限定されるものではない。したがって、袋体３の内部に配置される発光ダイオード５の数は、発光風船１の大きさ（袋体３の内部の大きさ）、発光ダイオード５の輝度等により、適宜決定すればよい。
【００３４】
なお、本実施形態に係る発光風船１においては、光の三原色を発光色として有する発光ダイオード５が袋体３の内部に配置されていればよいため、単色（赤色、青色又は緑色）発光ダイオードを配置する場合には、少なくとも３つの発光ダイオード５が配置されることを要する。少なくとも３つの発光ダイオード５が配置されていれば、光の三原色を一色ずつ配置することができるため、ほぼすべての色を発光風船１により表示することができる。
【００３５】
支持体６は、図１に示すように、放射状に配置されていてもよいし、図２に示すように、全体としてフック状の形状をなして配置されていてもよい。これらのように配置されることで、支持体６が、袋体３から簡単に抜け落ちてしまうようなことがない。
【００３６】
支持体６が袋体３の内部に放射状に配置されている場合、当該支持体６は、弾性を有する長尺状の部材であることが好ましい。このように、支持体６が弾性を有することにより、袋体３の開口部３１から複数の支持体６，６・・・をまとめて挿入すると、支持体６はその弾性により広がるため、袋体３の内部にて発光ダイオード５を略円弧状に広げて配置することができる。また、袋体３が平面視略扇型形状を有していることで、発光ダイオード５が袋体３の内部にて広がって配置されたときに、袋体３の両側部で発光ダイオード５が支持され、それ以上広がらないように抑えることもできる。これにより、発光ダイオード５から発せられる光にムラが生じるのを抑制し、発光風船１が部分的に明るくなりすぎることを防止することができる。
【００３７】
なお、支持体６が袋体３の内部に全体としてフック状の形状をなして配置されている場合、支持体６は長尺状の部材であることが好ましいが、弾性を有していてもよいし、弾性を有していなくてもよい。
【００３８】
また、支持体６は、発光ダイオード５のプラス端子及び／又はマイナス端子に直接的に接続された導電性部材であることがさらに好ましい。このような支持体６としては、例えば、導電性を有する針金等を用いることができる。支持体６が、発光ダイオード５のプラス端子及び／又はマイナス端子に直接的に接続された導電性部材であれば、支持体６がリード線としての役割をも兼ねることができ、本実施形態に係る発光風船１の構成を簡易なものにすることができる。
【００３９】
発光ダイオード５は、支持体６又はリード線を介して電源（電源回路）に接続されており、当該電源から発光ダイオード５に電力が供給される。電源は、直流電源であってもよいし、交流電源であってもよい。交流電源から発光ダイオード５に電力を供給する場合、交流電源を直流電源に変換してから供給してもよいし、交流電源をそのまま供給してもよい。発光ダイオード５に交流電源をそのまま供給すれば、所定の周期で発光ダイオード５を点滅させることも可能である。
【００４０】
以上説明した本実施形態に係る発光風船１は、図３に示すように、遊技機（例えば、パチンコ遊技機、スロットマシン等）８の内部制御基板に接続し、複数の遊技機８，８・・・の筐体が並ぶ遊技島９に設置して使用することができる。例えば、プラスチック製の略Ｌ字形状の筒状部材１０を発光風船１に設けて、当該筒状部材１０の中に支持体６又はリード線を通し、遊技機８の筐体の上方に設置する。このように設置することで、例えば、遊技機８にて大当たりが発生した場合、大当たりの発生により遊技機８から送信される所定の信号に基づいて、発光風船１内の発光ダイオード５に電力が供給され、発光風船１を明るく発光させることができる。これにより、遊技機８で遊技する遊技者の射幸心を煽ったり、遊技の面白さを遊技者に感じさせたりすることができる。また、遊技店の店員や他の遊技機で遊技をしている遊技者に対し大当たり中の遊技機を告知することもできる。
【００４１】
また、遊技島９の中の一の遊技機８において大当たりが発生したときには、その遊技島９全体の発光風船１が連動して点灯するようしておいてもよい。例えば、大当たりが発生した遊技機８の左側及び／又は右側に設置されている遊技機８が順次数秒間ずつ点灯するように設定する。この結果、頻繁に発光風船１が点灯する遊技島９には、大当たりが発生しやすい遊技機８が設置されていると遊技者が判断することができ、遊技者が遊技機８を選別するための目安となり、また、遊技店舗への来店者数を増加させるために遊技店舗の宣伝広告媒体として利用することができる。
【００４２】
また、図４に示すように、本実施形態に係る発光風船１は、袋体３の開口部３１に連続する筒状支持部材１１、及び当該筒状支持部材１１に連続する把持部１２が設けられることで、持ち運び可能なものとすることができ、例えば、子供が手に持って楽しむ風船おもちゃとして使用することもできる。把持部１２には、発光ダイオード５の電源としての電池（本実施形態では２本の乾電池）１３，１３を収容し得る電池収容部１４が設けられており、筒状支持部材１１の内部には、発光ダイオード５に電気的に接続される支持体６又はリード線が収容されるようになっている。これにより、電池１３から発光ダイオード５に電力が供給されて、発光風船１の全体が明るく発光することになる。
【００４３】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００４４】
例えば、本実施形態において風船本体２の形状は、正面視略円形状であるが、この形状には特に限定されるものではなく、星型、動物型等の形状であってもよい。また、袋体３の形状を略円錐形状とし、発光ダイオード５が、袋体３の内部にて平面視略円形状に配置されていてもよい。
【図面の簡単な説明】
【００４５】
【図１】本発明の一実施形態に係る発光風船を示す断面図である。
【図２】本発明の一実施形態に係る発光風船における発光ダイオードの他の配置例を示す断面図である。
【図３】本発明の一実施形態に係る発光風船が設置された遊技島を示す概略構成図である。
【図４】本発明の他の実施形態に係る発光風船を示す概略構成図である。
【符号の説明】
【００４６】
１…発光風船
２…風船本体
２１…孔部
３…袋体
３１…開口部
４…風船体
５…発光ダイオード
６…支持体
７…固定部材
８…遊技機
１１…筒状支持部材
１２…把持部
１３…電池
【図１】
2007025080.tif 000003
【図２】
2007025080.tif 000004
【図３】
2007025080.tif 000005
【図４】
2007025080.tif 000006